(57)【要約】【課題】ケーブルダクトからケーブルを分岐させる場合に、工事現場でダクトカバーに施す面倒な加工を省くことができ、しかも極めて見栄えの良い施工が行えるケーブルダクト用電線取出しカバーを提供する。【解決手段】ケーブルダクトＰを施蓋するダクトカバーＱに装着するダクト用電線取出しカバーを設ける。ダクトカバーＱより広い幅員を有し、間隔をあけて相対向するダクトカバーＱ端部相互の上に装着される横断面略コ字状のカバー本体１を設ける。該カバー本体１の略中央に開穿されダクト内部のケーブルを分岐せしめるケーブル取出し孔２を設ける。カバー本体１の幅員両端部の角部から側面部を切り欠いて金具取付部３を設ける。略帯状の蓋止め金具１０を金具取付部３に取り付け、カバー本体１とダクトカバーＱとをケーブルダクトＰに固定する。【選択図】  図１
2007124815.tif 000002
【特許請求の範囲】
【請求項１】
ケーブルダクトを施蓋するダクトカバーに装着するダクト用電線取出しカバーにおいて、ダクトカバーより広い幅員を有し、間隔をあけて相対向するダクトカバー端部相互の上に装着される横断面略コ字状のカバー本体を設け、該カバー本体の略中央に開穿されダクト内部のケーブルを分岐せしめるケーブル取出し孔と、カバー本体の幅員両端部の角部から側面部を切り欠き、ダクトカバーをケーブルダクトに固定せしめる略帯状の蓋止め金具を取り付ける金具取付部とを形成したことを特徴とするケーブルダクト用電線取出しカバー。
【請求項２】
前記蓋止め金具は、前記ダクトカバーの上面に係合する横材と、ダクトカバーの側面に係合する縦材と、ケーブルダクトの底部に係止する略鉤形状の係止部とからなり、前記金具取付部は、該蓋止め金具の縦材が嵌入するように形成された請求項１記載のケーブルダクト用電線取出しカバー。
【請求項３】
前記カバー本体は、前記ダクトカバーの上面に重合する天板と、前記ダクトカバーの側面に重合する側版とからなり、該天板の下面に係止凸部を形成し、相対向するダクトカバーの端部が該係止凸部に係止するように設けた請求項１記載のケーブルダクト用電線取出しカバー。
【請求項４】
前記ケーブル取出し孔の周囲縁に保護カバーを装着した請求項１記載のケーブルダクト用電線取出しカバー。
【発明の詳細な説明】
【技術分野】
【０００１】
本発明は、ケーブルダクトからケーブルを分岐させる際に、ダクトカバーを加工せず配線ケーブルの取り出しを容易にしたケーブルダクト用電線取出しカバーに関する。
【背景技術】
【０００２】
配線用ダクトを使用したケーブル配線工事において、ケーブルダクトから各種設備、機械、盤等へケーブルを分岐させる場合、図８に示すように、ケーブルダクトを施蓋する直線用ダクトカバーの一部に切り欠き等の特殊な加工を施し、この切り欠き部分からケーブルを取り出す工事が行われている。ケーブルダクト内に配線されたケーブルの中から分岐されるケーブルは、この切り欠き部分から取り出されて各種設備等に配線されるものである。
【０００３】
一方、特許文献１には、略コ字形の配線ダクト本体に複数個の配線引出用長穴を設け、
この配線ダクト本体の開口部に配線ダクトカバー取付けるようにした配線ダクトが記載されている。この配線ダクトは、制御盤の内部に装着されるもので、配線引出用長穴から回路毎にケーブルを引き出すように設けられたものである。
【特許文献１】特開平６−３０３７１２号公報
【発明の開示】
【発明が解決しようとする課題】
【０００４】
ところが、図８に示す如く、現場において、ダクトを施蓋する直線用のダクトカバーの一部に切り欠き等の特殊な加工を施す作業は極めて手間がかかり、配線工事の遅延化を招く原因になっていた。また、作業員が手作業で切り欠き等の加工を施すので、見栄えが悪くなる不都合も生じていた。
【０００５】
一方、特許文献１に記載された配線ダクトでは、コ字形の配線ダクト本体に複数個の配線引出用長穴を設けているので、この配線引出用長穴からケーブルを引き出すことが可能になっているが、制御盤の内部に設けられる特殊な配線ダクトで使用することに限られている。仮に、一般の配線工事に使用するケーブルダクトに代えて特許文献１に記載のダクト本体を使用する場合は、構造上及びコスト上の極めて大きな不都合が生じてしまう。
【０００６】
そこで本発明は上述の課題を解消すべく創出されたもので、ケーブルダクトから各種設備、機械、盤等へケーブルを分岐させる場合に、工事現場でダクトカバーに施す面倒な加工を省くことができ、しかも極めて見栄えの良い施工が行えるケーブルダクト用電線取出しカバーの提供を目的とするものである。
【課題を解決するための手段】
【０００７】
上述の目的を達成すべく本発明における第１の手段は、ケーブルダクトＰを施蓋するダクトカバーＱに装着するダクト用電線取出しカバーにおいて、ダクトカバーＱより広い幅員を有し、間隔をあけて相対向するダクトカバーＱ端部相互の上に装着される横断面略コ字状のカバー本体１を設け、該カバー本体１の略中央に開穿されダクト内部のケーブルを分岐せしめるケーブル取出し孔２と、カバー本体１の幅員両端部の角部から側面部を切り欠き、ダクトカバーＱをケーブルダクトＰに固定せしめる略帯状の蓋止め金具１０を取り付ける金具取付部３と、を形成したことにある。
【０００８】
第２の手段における前記蓋止め金具１０は、前記ダクトカバーＱの上面に係合する横材１１と、ダクトカバーＱの側面に係合する縦材１２と、ケーブルダクトＰの底部に係止する略鉤形状の係止部１３とからなり、前記金具取付部３は、該蓋止め金具１０の縦材１２が嵌入するように形成されたものである。
【０００９】
第３の手段の前記カバー本体１は、前記ダクトカバーＱの上面に重合する天板１Ａと、前記ダクトカバーＱの側面に重合する側版１Ｂとからなり、該天板１Ａの下面に係止凸部４を形成し、相対向するダクトカバーＱの端部が該係止凸部４に係止するように設けている。
【００１０】
第４の手段は、前記ケーブル取出し孔２の周囲縁に保護カバー５を装着したことを課題解消のための手段とする。
【発明の効果】
【００１１】
本発明の請求項１において、カバー本体１にケーブル取出し孔２を設けたことにより、ケーブルダクトから各種設備、機械、盤等へケーブルを分岐させる場合に、工事現場でダクトカバーに施す面倒な加工を省くことができる。しかも、ダクトカバーＱより広い幅員を有し、間隔をあけて相対向するダクトカバーＱ端部相互の上に装着される横断面略コ字状のカバー本体１を設けているので、ダクトカバーＱの切断された端部はカバー本体１によって覆われることになる。この結果、見栄えの良い施工を行うことができる。
【００１２】
また、カバー本体１の長手両端部の角部から側面部を切り欠き、装着したダクトカバーＱをケーブルダクトＰに固定せしめる略帯状の蓋止め金具１０を嵌入する金具取付部３を形成したことから、蓋止め金具１０を使用してカバー本体１下面のダクトカバーＱとカバー本体１とを同時に係止固定することが可能になる。この結果、金具取付部３に嵌入した蓋止め金具１０は、カバー本体１のずれ止め防止と共に、ダクトカバーＱが長手方向に移動してケーブルに接触するのを防止することができる。
【００１３】
請求項２によると、金具取付部３は、該蓋止め金具１０の縦材１２が嵌入するように形成されているから、この金具取付部３に嵌入した蓋止め金具１０や、この蓋止め金具１０で係止されるカバー本体１およびダクトカバーＱを確実に固定することができるものである。しかも、金具取付部３に嵌入した蓋止め金具１０を直接ケーブルダクトＰに係止しておくと、ダクトカバーＱが長手方向に移動しても、ダクトカバーＱの端部がこの蓋止め金具１０に突き当たることになり、ケーブル取出し孔２から取り出したケーブルにダクトカバーＱ端部が接触するのを防止することも可能である。
【００１４】
請求項３によると、天板１Ａの下面に係止凸部４を形成しているから、ダクトカバーＱの端部が該係止凸部４に係止することで、ダクトカバーＱが長手方向にずれた場合でも、ケーブル取出し孔２から取り出すケーブル側面にダクトカバーＱ端部が接触するのを防止する。したがって、分岐するケーブルにとって安全な配線工事になるものである。
【００１５】
請求項４では、ケーブル取出し孔２の周囲縁に保護カバー５を装着しているので、ケーブル取出し孔２から取り出すケーブル側面が、このケーブル取出し孔２に接触した際に傷付くのを防止することができる。
【００１６】
このように、本発明によると、ケーブルダクトから各種設備、機械、盤等へケーブルを分岐させる場合に、工事現場でダクトカバーに施す面倒な加工を省くことができ、しかも極めて見栄えの良い施工が行えるなどといった種々の効果を奏するものである。
【発明を実施するための最良の形態】
【００１７】
本発明支持装置の最良の形態は、ダクトカバーＱより広い幅員を有し、間隔をあけて相対向するダクトカバーＱ端部相互の上に装着される横断面略コ字状のカバー本体1を設ける。該カバー本体１の略中央に開穿されダクト内部のケーブルを分岐せしめるケーブル取出し孔２を設ける。カバー本体１の幅員両端部の角部から側面部を切り欠き、ダクトカバーＱをケーブルダクトＰに固定せしめる略帯状の蓋止め金具１０を取り付ける金具取付部３を形成する。蓋止め金具１０は、前記ダクトカバーＱの上面に係合する横材１１と、ダクトカバーＱの側面に係合する縦材１２と、ケーブルダクトＰの底部に係止する略鉤形状の係止部１３とからなる。金具取付部３は、該蓋止め金具１０の縦材１２が嵌入するように形成されている。カバー本体１は、前記ダクトカバーＱの上面に重合する天板１Ａと、前記ダクトカバーＱの側面に重合する側版１Ｂとからなる。該天板１Ａの下面に係止凸部４を形成する。相対向するダクトカバーＱの端部が該係止凸部４に係止するように設ける。ケーブル取出し孔２の周囲縁に該ケーブル取出し孔２から取り出すケーブルを保護せしめる保護カバー５を装着することで当初の目的を達成するものである。
【実施例】
【００１８】
以下、本発明の一実施例を説明する。本発明は、ケーブルダクトＰを施蓋するダクトカバーＱに被せて使用するもので、特に、カバー本体１と蓋止め金具１０とを組み合わせて使用する（図１参照）。
【００１９】
カバー本体１は、ダクトカバーＱより広い幅員を有し、ダクトカバーＱの上面に重合する天板１Ａと、前記ダクトカバーＱの側面に重合する側版１Ｂとからなる横断面略コ字状を成す（図１参照）。そして、間隔をあけて相対向するダクトカバーＱ端部相互の上に、このカバー本体１を被せるように装着するものである（図２参照）。カバー本体１の幅員がダクトカバーＱと同じ幅に形成すると、図７に示すように、ダクトカバーＱの端部を覆うことができず、ダクトカバーＱの端部とカバー本体１の長手端部との間に隙間が生じることになり、見栄えが悪くなる。
【００２０】
また、カバー本体１の略中央には、ダクト内部のケーブルを分岐せしめるケーブル取出し孔２が開穿されており、ダクトカバーＱ端部間とこのケーブル取出し孔２とを通して分岐用のケーブルが取り出される。図示のケーブル取出し孔２には、ブッシング等の保護カバー５が装着されており、このケーブル取出し孔２から取り出すケーブルがケーブル取出し孔２に接触した場合でも、ケーブル取出し孔２のエッヂによって傷付けるのを防止している（図１参照）。
【００２１】
更に、カバー本体１には、金具取付部３が設けられている。この金具取付部３は、カバー本体１の幅員両端部の角部から側面部を切り欠いたもので、この金具取付部３に蓋止め金具１０を嵌入し、ケーブルダクトＰとダクトカバーＱ及びカバー本体１とケーブルダクトＰとを同時に固定するものである（図３参照）。
【００２２】
この蓋止め金具１０は略帯状を成し、ダクトカバーＱの上面に係合する横材１１と、ダクトカバーＱの側面に係合する縦材１２と、ケーブルダクトＰの底部に係止する略鉤形状の係止部１３とからなる（図１参照）。そして、該蓋止め金具１０の縦材１２が嵌入するように金具取付部３を設けている（図３参照）。この蓋止め金具１０を金具取付部３に取り付けることで、ケーブルダクトＰに対してダクトカバーＱとカバー本体１とを同時に固定するように設けている（図４参照）。また、金具取付部３からダクトカバーＱをずらしておき、ケーブルダクトＰの側面に蓋止め金具１０を直接係止させておくと、ダクトカバーＱが長手方向に沿って移動した場合に、ダクトカバーＱの端部がこの蓋止め金具１０に突き当たるので、それ以上の移動を阻止することができる（図５参照）。
【００２３】
更に、カバー本体１の天板１Ａの下面に係止凸部４を形成し、相対向するダクトカバーＱの端部が該係止凸部４に係止するように設けることによって、ダクトカバーＱの移動を阻止することができる（図６参照）。図示例の係止凸部４は、エンボス加工により突設したものを示しているが、係止凸部４の成形手段は任意である。
【００２４】
尚、本発明は、図示例に限定されるものではなく、各構成の寸法や形状等の設計変更、および材質の変更など任意に行えるものである。たとえば、ケーブル取出し孔２の数や形状・サイズ、あるいは金具取付部３の数や形状あるいは取り付け位置、蓋止め金具１０の材質や形状などは、本発明の要旨を変更しない範囲において自由に変更できるものである。また、本発明において、ケーブルダクトを金属ダクトに変更することも可能であり、本発明での電線とは、絶縁の有無を問わないものである。
【図面の簡単な説明】
【００２５】
【図１】本発明の一実施例を示す分解斜視図である。
【図２】本発明カバー本体の装着状態を示す平面図である。
【図３】本発明の装着状態を示す平面図である。
【図４】図３に示す装着状態により、ダクトカバーの移動を阻止する状態を説明する平面図である。
【図５】本発明の他の使用例により、ダクトカバーの移動を阻止する状態を説明する平面図である。
【図６】本発明カバー本体に設けた係止凸部を示す平面図である。
【図７】本発明カバー本体をダクトカバーと同じ幅員にした状態を示す平面図である。
【図８】従来のダクトカバーに切り欠き加工を施した状態を示す斜視図である。
【符号の説明】
【００２６】
Ｐ  ダクト
Ｑ  ダクトカバー  
１  カバー本体
１Ａ  天板
１Ｂ  側版
２  ケーブル取出し孔
３  金具取付部
４  係止凸部
５  保護カバー
１０  蓋止め金具
１１  横材
１２  縦材
１３  係止部
【図１】
2007124815.tif 000003
【図２】
2007124815.tif 000004
【図３】
2007124815.tif 000005
【図４】
2007124815.tif 000006
【図５】
2007124815.tif 000007
【図６】
2007124815.tif 000008
【図７】
2007124815.tif 000009
【図８】
2007124815.tif 000010